(57)【特許請求の範囲】
【請求項１】
シャワーホースと接続され、外方に突出する突出部を有するシャワーエルボと、
前記シャワーエルボが挿入可能とされた第１の孔を有し前記シャワーエルボを支持する支持材と、
前記第１の孔を通して前記シャワーエルボと接続された配管と、
を備え、
前記突出部は、前記シャワーエルボが前記配管に挿入接続され、かつ、前記シャワーエルボが所定の締結部材によって第１の所定角度で前記支持材に支持されるよう締結された状態において、前記支持材の内面と当接し、
前記突出部は、前記シャワーエルボが前記第１の孔に挿入される前から予め前記シャワーエルボの外方に突出するよう形成されており、前記シャワーエルボが前記第１の所定角度とは異なる第２の所定角度の場合に前記第１の孔を通過可能とされ、前記シャワーエルボが第１の所定角度の場合に前記第１の孔を通過不能とすることによって、前記第１の所定角度において前記シャワーエルボが前記支持材の内面と当接可能とされ、
前記締結部材はねじであり、
前記突出部は、内面にねじ山が設けられたねじ孔を有し、
前記支持材は、第２の孔を有し、
前記シャワーエルボは、前記ねじ孔の位置が前記第２の孔の位置と合った前記第１の所定角度で前記支持材に支持されるよう前記ねじによって締結されたことを特徴とするカバー水栓。
【請求項２】
前記第１の所定角度と、前記第２の所定角度と、の間の角度は、鋭角であることを特徴とする請求項１記載のカバー水栓。
【発明の詳細な説明】
【技術分野】
【０００１】
本発明の態様は、一般的に、カバー水栓に関する。
【背景技術】
【０００２】
例えば、シャワーホースがエルボを介して接続部に取り付けられたカバー水栓がある。例えば、エルボは、カバー水栓の外部から接続部に螺合し接続されている。エルボは、接続部に対して回動自在に取り付けられており、シャワーホースの向きに従って回動する。
【０００３】
一方で、浴室においては、例えばシャンプーのボトルなどを載置可能な洗面器カウンターがカバー水栓の下に設置されることがある。この場合において、エルボがシャワーホースの向きに従って回動すると、シャワーホースが洗面器カウンターに載置されたボトルなどと接触し、そのボトルなどを倒すおそれがある。そのため、カバー水栓の使い勝手において改善の余地がある。
【０００４】
シャワーホースが洗面器カウンターに載置されたボトルなどと接触することを抑制するための手段の１つとして、シャワーホースが例えば洗い場の方向へ延びるようにエルボの角度を固定することが挙げられる。しかし、例えば、エルボ自身が接続部に螺合し接続されている場合において、エルボを別途ねじなどの締結部材で所定の角度に固定しようとすると、エルボを所定の角度に固定できないことがある。すなわち、螺合により接続されるエルボおよび接続部に設けられたねじ山のピッチの影響により、締結部材で締結させたいエルボと固定部材との間に隙間が生ずることがあり、エルボを所定の角度に締結部材で固定できないことがある。
【０００５】
これに対して、エルボ自身を接続具に螺合させることなく、エルボの円筒部が接続具の大径円筒部に挿通された給水栓がある（特許文献１）。特許文献１に記載された給水栓では、エルボの円筒部に挿通された袋ナットが接続具の大径円筒部に螺着固定されることで、エルボが接続具に取り付けられている。特許文献１に記載された給水栓によれば、エルボ自身が接続具には螺合していないため、ねじのピッチの影響を抑えることができる。
【０００６】
しかし、特許文献１に記載された給水栓では、エルボが接続具に螺合することなく挿通されているため、別途、エルボを所定の角度に締結部材で固定したとしても、袋ナットや締結部材が水圧や振動などの影響で緩んだり外れたりして、エルボが接続具から抜ける方向へずれるおそれがある。エルボが接続具から抜ける方向へずれると、漏水が生ずるおそれがある。
【先行技術文献】
【特許文献】
【０００７】
【特許文献１】特開２００２−６１２４０号公報
【発明の概要】
【発明が解決しようとする課題】
【０００８】
本発明は、かかる課題の認識に基づいてなされたものであり、エルボを所定角度に固定しつつ、エルボが抜ける方向へずれることを抑制することができるカバー水栓を提供することを目的とする。
【課題を解決するための手段】
【０００９】
第１の発明は、シャワーホースと接続され、外方に突出する突出部を有するシャワーエルボと、前記シャワーエルボが挿入可能とされた第１の孔を有し前記シャワーエルボを支持する支持材と、前記第１の孔を通して前記シャワーエルボと接続された配管と、を備え、前記突出部は、前記シャワーエルボが前記配管に挿入接続され、かつ、前記シャワーエルボが所定の締結部材によって第１の所定角度で前記支持材に支持されるよう締結された状態において、前記支持材の内面と当接し、前記突出部は、前記シャワーエルボが前記第１の孔に挿入される前から予め前記シャワーエルボの外方に突出するよう形成されており、前記シャワーエルボが前記第１の所定角度とは異なる第２の所定角度の場合に前記第１の孔を通過可能とされ、前記シャワーエルボが第１の所定角度の場合に前記第１の孔を通過不能とすることによって、前記第１の所定角度において前記シャワーエルボが前記支持材の内面と当接可能とされ、前記締結部材はねじであり、前記突出部は、内面にねじ山が設けられたねじ孔を有し、前記支持材は、第２の孔を有し、前記シャワーエルボは、前記ねじ孔の位置が前記第２の孔の位置と合った前記第１の所定角度で前記支持材に支持されるよう前記ねじによって締結されたことを特徴とするカバー水栓である。
【００１０】
このカバー水栓によれば、シャワーエルボが配管に挿入接続され、かつ、シャワーエルボが所定の締結部材によって第１の所定角度で支持材に支持されるよう締結された状態において、シャワーエルボの突出部は、支持材の内面と当接している。これにより、水圧や振動などにより締結部材が緩んだり外れたりして、シャワーエルボが配管から抜ける方向へずれようとしても、支持材の内面によってそのずれが抑制される。そのため、漏水が生ずることを抑えることができる。
【００１２】
このカバー水栓によれば、突出部は、シャワーエルボが第１の孔に挿入される前から予めシャワーエルボの外方に突出するように形成されている。突出部が第１の孔を通過可能な状態と、突出部が第１の孔を通過不能である状態と、が存在することで、複雑な機構を用いることなく比較的簡単な構造により、第１の所定角度においてシャワーエルボが支持材の内面と当接可能となる。これにより、シャワーエルボが配管から抜ける方向へずれることを抑制することができる。
【００１４】
このカバー水栓によれば、シャワーエルボは、ねじ孔の位置が第２の孔の位置と合った第１の所定角度で支持材に支持されるようねじによって締結される。そのため、シャワーエルボのねじ孔を第１の所定角度の目印として利用することができる。そのため、シャワーエルボおよび支持材に別の目印を設ける必要はない。
【００１５】
第２の発明は、第１の発明において、前記第１の所定角度と、前記第２の所定角度と、の間の角度は、鋭角であることを特徴とするカバー水栓である。
【００１６】
このカバー水栓によれば、シャワーエルボが第１の孔を通して配管に挿入接続されたとき、シャワーエルボのねじ孔の位置は、支持材の第２の孔の位置に比較的近い。そのため、例えば作業者がシャワーエルボの取り付け方向を間違えることを抑制することができる。
【発明の効果】
【００１７】
本発明の態様によれば、エルボを所定角度に固定しつつ、エルボが抜ける方向へずれることを抑制することができるカバー水栓が提供される。
【図面の簡単な説明】
【００１８】
【図１】本発明の実施の形態にかかるカバー水栓を表す模式的斜視図である。
【図２】本実施形態にかかるカバー水栓を表す模式的平面図である。
【図３】本実施形態にかかるカバー水栓を表す模式的分解図である。
【図４】シャワーエルボと配管との間の接続を説明する模式的斜視図である。
【図５】本実施形態の配管を表す模式図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態にかかるカバー水栓を表す模式的斜視図である。  
図２は、本実施形態にかかるカバー水栓を表す模式的平面図である。  
図３は、本実施形態にかかるカバー水栓を表す模式的分解図である。  
図１（ａ）は、本実施形態にかかるカバー水栓を斜め上方から眺めたときの模式的斜視図である。図１（ｂ）は、本実施形態にかかるカバー水栓を斜め下方から眺めたときの模式的斜視図である。図２は、本実施形態にかかるカバー水栓を図１（ａ）に表した矢印Ａ１の方向に眺めたときの模式的平面図である。
【００２０】
図１（ａ）〜図３に表したように、本実施形態にかかるカバー水栓１００は、カバー１０５と、水栓本体１１０と、支持材１６０と、シャワーエルボ１７０と、を備える。また、カバー水栓１００は、第１の止水栓１２０と、第２の止水栓１３０と、を備える。
【００２１】
カバー１０５は、上カバー１０１と、下カバー１０２と、を有する。カバー水栓１００は、上カバー１０１と、下カバー１０２と、の間において、水栓本体１１０、第１の止水栓１２０、および第２の止水栓１３０などの水栓に関する部品の少なくとも一部を内蔵する。カバー水栓１００は、水栓に関する部品の少なくとも一部を内蔵した状態で例えば浴室などの壁（取付対象の壁）２１０に固定される。
【００２２】
水栓本体１１０は、支持材１６０に支持され、サーモユニット１１１と、流調ユニット１１３と、ボタンユニット１１５と、スパウト１１７と、配管（接続部）１１９と、を有する。サーモユニット１１１は、スパウト１１７あるいはシャワーヘッド（図示せず）から吐出される水の温度を調整する。なお、シャワーヘッドは、シャワーエルボ１７０に接続されたシャワーホースの一端部に設けられる。流調ユニット１１３は、スパウト１１７あるいはシャワーヘッド（図示せず）から吐出される水の流量を調整する。ボタンユニット１１５は、水がスパウト１１７から吐出される状態と、水がシャワーヘッド（図示せず）から吐出される状態と、を切り替えることできる。
【００２３】
支持材１６０は、水栓本体１１０と、上カバー１０１と、下カバー１０２と、を支持し、壁２１０に固定される。具体的には、水栓本体１１０、上カバー１０１、および下カバー１０２は、例えばねじなどの締結部材により支持材１６０に固定されている。支持材１６０が水栓本体１１０と、上カバー１０１と、下カバー１０２と、を支持した状態で壁２１０に固定されることにより、カバー水栓１００は、壁２１０に固定される。  
図３に表したように、支持材１６０は、第１の孔１６５と、第２の孔１６７と、を有する。
【００２４】
シャワーエルボ１７０は、支持材１６０の第１の孔１６５を通して配管１１９に接続されている。シャワーエルボ１７０は、配管１１９と接続された状態において支持材１６０に支持されている。図１（ａ）〜図２に表したように、シャワーエルボ１７０のうちの少なくとも一部は、カバー水栓１００の外部に位置し、シャワーホースと接続される。シャワーエルボ１７０と配管１１９との間の接続の詳細については、後述する。
【００２５】
第１の止水栓１２０は、操作部１２１を有する。第１の止水栓１２０は、壁２１０から突出した給水管２２０に接続され、給水管２２０を通して供給される水の圧力を調整したり、給水管２２０を通して供給される水を止めたりする。図１（ｂ）に表したように、第１の止水栓１２０の操作部１２１は、下カバー１０２を通してカバー１０５の外側に位置する。そのため、例えば使用者は、カバー１０５の外側から第１の止水栓１２０の操作部１２１を操作することができる。
【００２６】
第２の止水栓１３０は、操作部１３１を有する。第２の止水栓１３０は、壁２１０から突出した給湯管２３０に接続され、給湯管２３０を通して供給される湯の圧力を調整したり、給湯管２３０を通して供給される湯を止めたりする。図１（ｂ）に表したように、第２の止水栓１３０の操作部１３１は、下カバー１０２を通してカバー１０５の外側に位置する。そのため、例えば使用者は、カバー１０５の外側から第２の止水栓１３０の操作部１３１を操作することができる。
【００２７】
図４は、シャワーエルボと配管との間の接続を説明する模式的斜視図である。  
図４（ａ）は、シャワーエルボ１７０が配管１１９と接続する前の状態を表す模式的斜視図である。図４（ｂ）は、シャワーエルボ１７０が配管１１９と接続した後の状態を表す模式的斜視図である。
【００２８】
図４（ａ）に表したように、支持材１６０は、第１の孔１６５と、第２の孔１６７と、を有する。シャワーエルボ１７０は、突出部１７１を有する。第１の孔１６５は、シャワーエルボ１７０の一端部（配管１１９に接続される部分）１７５および突出部１７１を挿通可能な形状を有する。第２の孔１６７は、例えばねじなどの締結部材１８５を挿通可能な形状を有する。第２の孔１６７の数は、２つには限定されない。第２の孔１６７の数は、３つ以上であってもよい。
【００２９】
図４（ａ）に表したように、シャワーエルボ１７０は、突出部１７１を有する。突出部１７１は、外方へ延びた形状を有し、ねじ孔１７３を有する。ねじ孔１７３の内面には、ねじ山が設けられている。
【００３０】
シャワーエルボ１７０が第２の所定角度の場合には、シャワーエルボ１７０は、第１の孔を通ることができる。一方で、シャワーエルボ１７０が第１の所定角度の場合には、シャワーエルボ１７０の突出部１７１が支持材１６０と当接し、シャワーエルボ１７０は、第１の孔１６５を通ることはできない。例えば、第１の孔１６５の形状は、シャワーエルボ１７０の部分であって突出部１７１が設けられた部分の形状と相似である。但し、第１の孔１６５の形状は、シャワーエルボ１７０の部分であって突出部１７１が設けられた部分の形状と相似であることには限定されない。
【００３１】
図４（ａ）に表したように、シャワーエルボ１７０を配管１１９と接続させる場合には、シャワーエルボ１７０を第２の所定角度とする。つまり、シャワーエルボ１７０が第１の孔１６５を通ることができるように、シャワーエルボ１７０の角度を第２の所定角度に設定する。続いて、図４（ａ）に表した矢印Ａ３のように、シャワーエルボ１７０の一端部１７５を第１の孔１６５を通して配管１１９に挿入する。この状態において、シャワーエルボ１７０は、配管１１９に接続される。
【００３２】
続いて、図４（ｂ）に表した矢印Ａ４のように、シャワーエルボ１７０の一端部１７５あるいは配管１１９の軸を中心としてシャワーエルボ１７０を回転させ、シャワーエルボ１７０のねじ孔１７３の位置を支持材１６０の第２の孔１６７の位置に合わせる。このとき、シャワーエルボ１７０は、第１の所定角度となり、第１の孔１６５を通ることはできない。  
続いて、締結部材１８５を支持材１６０の第２の孔１６７を通してシャワーエルボ１７０のねじ孔１７３と結合させる。
【００３３】
このようにして、シャワーエルボ１７０は、配管１１９に接続された状態において支持材１６０に支持されるよう締結部材１８５によって締結される。このとき、シャワーエルボ１７０の突出部１７１の表面１７１ａは、支持材１６０の内面と当接している。言い換えれば、支持材１６０は、シャワーエルボ１７０の突出部１７１の表面１７１ａと、締結部材１８５と、の間に挟設されている。
【００３４】
ここで、シャワーエルボは、配管と螺合しておらず、配管に挿入接続されている。そのため、水圧や振動などの影響でシャワーエルボが配管から抜ける方向へずれるおそれがある。シャワーエルボが配管から抜ける方向へずれると、漏水が生ずるおそれがある。
【００３５】
これに対して、本実施形態にかかるカバー水栓１００では、シャワーエルボ１７０が配管１１９に接続され、かつ、シャワーエルボ１７０が締結部材１８５によって第１の所定角度で支持材１６０に支持されるよう締結された状態において、シャワーエルボ１７０の突出部１７１の表面１７１ａは、支持材１６０の内面と当接している。これにより、水圧や振動などにより締結部材１８５が緩んだり外れたりして、シャワーエルボ１７０が配管１１９から抜ける方向へずれようとしても、支持材１６０の内面によってそのずれが抑制される。そのため、漏水が生ずることを抑えることができる。
【００３６】
また、突出部１７１は、シャワーエルボ１７０が第１の孔１６５に挿入される前から予めシャワーエルボ１７１の外方に突出するように形成されている。そのため、シャワーエルボ１７０の角度に応じて、シャワーエルボ１７０の突出部１７１が支持材１６０の第１の孔１６５を通過できる状態と、シャワーエルボ１７０の突出部１７１が支持材１６０の第１の孔１６５を通過できない状態と、が存在することで、複雑な機構を用いることなく比較的簡単な構造により、第１の所定角度においてシャワーエルボ１７０が支持材１６０の内面と当接可能となる。これにより、シャワーエルボ１７０を第１の所定角度に固定しつつ、シャワーエルボ１７０が配管１１９から抜ける方向へずれることを抑制することができる。
【００３７】
なお、突出部１７１は、必ずしも、シャワーエルボ１７０が第１の孔１６５に挿入される前から予めシャワーエルボ１７１の外方に突出するように形成されていなくともよい。例えば、突出部１７１は、シャワーエルボ１７０に設けられたボタンなどが押されることでシャワーエルボ１７０の外方に出てきてもよい。この場合には、突出部１７１は、シャワーエルボ１７０が第１の孔１６５を挿入される前にはシャワーエルボ１７０の外方には突出しておらず、シャワーエルボ１７０が第１の孔１６５に挿入された後に出てくることができる。
【００３８】
さらに、シャワーエルボ１７０のねじ孔１７３の位置を支持材１６０の第２の孔１６７の位置に合わせることで、シャワーエルボ１７０は、支持材１６０に支持される。これにより、シャワーエルボ１７０のねじ孔１７３を第１の所定角度の目印として利用することができる。そのため、シャワーエルボ１７０および支持材１６０に別の目印を設ける必要はない。
【００３９】
シャワーエルボ１７０が第１の孔１６５を通るときのシャワーエルボ１７０の角度（第２の所定角度）と、シャワーエルボ１７０のねじ孔１７３の位置が支持材１６０の第２の孔１６７の位置に合ったときのシャワーエルボ１７０の角度（第１の所定角度）と、の間の角度は、鋭角である。  
これによれば、シャワーエルボ１７０の一端部１７５が第１の孔１６５を通して配管１１９に挿入接続されたとき、シャワーエルボ１７０のねじ孔１７３の位置は、支持材１６０の第２の孔１６７の位置に比較的近い。そのため、例えば作業者がシャワーエルボ１７０の取り付け方向を間違えることを抑制することができる。
【００４０】
図５は、本実施形態の配管を表す模式図である。  
図５（ａ）は、本実施形態の水栓本体を表す模式的斜視図である。図５（ｂ）は、本実施形態の水栓本体を図５（ａ）に表した矢印Ａ２に眺めた模式的平面図である。図５（ａ）および図５（ｂ）では、カバー１０５を省略している。
【００４１】
図４に関して前述したように、支持材１６０は、シャワーエルボ１７０の突出部１７１の表面１７１ａと、締結部材１８５と、の間に挟設されている。すなわち、シャワーエルボ１７０が配管１１９に接続され支持材１６０に支持された状態において、シャワーエルボ１７０は、支持材１６０の内側に存在する。一方で、シャワーエルボ１７０が配管１１９に接続され支持材１６０に支持された状態において、締結部材１８５は、支持材１６０の外側に存在する。
【００４２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、カバー水栓１００、支持材１６０、およびシャワーエルボ１７０などが備える各要素の形状、寸法、材質、配置などや支持材１６０およびシャワーエルボ１７０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４３】
１００ カバー水栓、  １０１ 上カバー、  １０２ 下カバー、  １０５ カバー、  １１０ 水栓本体、  １１１ サーモユニット、  １１３ 流調ユニット、  １１５ ボタンユニット、  １１７ スパウト、  １１９ 配管、  １１９ａ 端部、  １２０ 第１の止水栓、  １２１ 操作部、  １３０ 第２の止水栓、  １３１ 操作部、  １６０ 支持材、  １６５ 第１の孔、  １６７ 第２の孔、  １６９ 外面、  １７０ シャワーエルボ、  １７１ 突出部、  １７１ａ 表面、  １７３ ねじ孔、  １７５ 一端部、  １８５ 締結部材、  ２１０ 壁、  ２２０ 給水管、  ２３０ 給湯管
【図１】
0006548002.tif 000002
【図２】
0006548002.tif 000003
【図３】
0006548002.tif 000004
【図４】
0006548002.tif 000005
【図５】
0006548002.tif 000006